(57)【要約】【課題】飲料ディスペンサにおいて、時間制限を設けた飲料供給を行う。【解決手段】飲料ディスペンサに飲料容器８をセットし、初回利用する場合、撮影部２０１は利用者３０１の顔画像情報を、画像登録部２０２により記憶部２０３に記憶し、計時部２０８で予め設定された時間で計時開始する。２回目以降、利用者が飲料ディスペンサを利用する場合、撮影部２０１で撮影した利用者の顔画像情報と、記憶部２０３に記憶された顔画像情報を比較し利用者認識を行いかつ、計時部２０８で計時されている時間が所定時間内であると判定部２０６が判定すると、表示部２０４に飲料選択肢を提示させ、選択に応じて飲料供給制御部２０７により、飲料吐出部２０９を制御させる。【選択図】図２
2017210253.tif 000002
【特許請求の範囲】
【請求項１】
利用者の顔を撮影する撮影部と、
前記撮影部が撮影した画像に基づいた顔画像情報を登録する画像登録部と、
前記画像登録部で前記顔画像情報を登録されてからの経過時間を計測する計時部と、
前記画像登録部で登録された前記顔画像情報を記憶する記憶部と、
前記利用者に対する飲料供給の可否を判定する判定部とを有し、
前記判定部は、前記撮影部が撮影した画像に基づいた顔画像情報が前記記憶部に記憶された顔画像情報と一致し、前記計時部で計測する経過時間が予め定めた所定時間以上であれば、前記撮影部が撮影した利用者に対する飲料供給を制限する、飲料ディスペンサ。
【請求項２】
第二の記憶部を備えるネットワークに接続して顔画像情報を送受信するネットワーク送受信部を備え、
前記ネットワーク送受信部は、他の飲料ディスペンサから送信され前記第二の記憶部に記憶された顔画像情報を受信し、
前記記憶部は、前記ネットワーク送受信部が受信した顔画像情報を記憶する、請求項１に記載の飲料ディスペンサ。
【請求項３】
飲料に関わる情報を表示する表示部を有し、
前記判定部は、前記撮影部が取得した利用者の顔画像情報から、前記利用者の年齢と性別のうち少なくとも１つを判定し、判定した判定情報に応じて、前記表示部に表示させる内容を異ならせる、請求項１または２に記載の飲料ディスペンサ。
【請求項４】
飲料の選択肢を表示する表示部を有し、
前記撮影部は、飲料を注入するための容器の画像情報または容器に付属するコード情報を取得し、取得した情報に紐づけられる飲料選択肢を、前記表示部に表示させる、請求項１〜３のいずれか１項に記載の飲料ディスペンサ。
【請求項５】
前記記憶部または第二の記憶部に記憶された顔画像情報は、一定期間経過後に、削除させる、請求項１〜４のいずれか１項に記載の飲料ディスペンサ。
【発明の詳細な説明】
【技術分野】
【０００１】
本発明は、飲料ディスペンサに関するものである。
【背景技術】
【０００２】
現在、ファミリーレストラン等では、飲料ディスペンサを用いたフリードリンクサービスを提供しているところが多い。フリードリンクサービスでは、セルフサービスの形式が取られている。利用者は一定金額を支払うと、飲料ディスペンサを操作して、一回の食事中は、オレンジジュースやコーヒーなどの複数の飲料を、好きなだけ飲める。
【０００３】
このようなサービスでは、利用者はフリードリンクコーナーにあるグラスやカップなどの容器を自分で取り、飲料ディスペンサにセットし、好みの飲料を選択し容器に注ぎ、飲料サービスを利用する。
【０００４】
このような飲料ディスペンサに関する数多くの技術が公開特許公報にて公開されている。
【０００５】
例えば特許文献１では、以下のような、注文を受け付け、飲料を供給する方法が提案されている。まず、注文入力ステーションにおいて、利用者が商品を選択して店員に注文し、店員は飲料容器印刷機を使い飲料容器に対して飲料種類、バーコードなどを印刷して利用者に提供する。そして利用者は、飲料供給ステーションであるファウンテンディスペンサ（飲料ディスペンサ）に飲料容器をセットする。飲料ディスペンサは、印刷された情報を読み取り、選択した飲料を供給する。
【先行技術文献】
【特許文献】
【０００６】
【特許文献１】特開２０１５−１０７８３６号公報
【発明の概要】
【発明が解決しようとする課題】
【０００７】
しかしながら、前記特許文献１に記載の技術では、利用者が購入した飲料を、間違えずに適切に供給することは可能となるが、フリードリンクサービスでは、利用者が購入したフリードリンクサービスで提供される飲料メニューや制限時間などを、利用者が適切に利用しているかどうかを確認することはできず、仮に店員がチェックしようとすると手間がかかるという課題があった。
【０００８】
本発明は、ファミリーレストランやフードコートなどの店舗で利用される飲料ディスペンサにおいて、フリードンクサービスで提供される飲料メニューや制限時間を、利用者が適切に利用できるようにし、また店舗側の管理負担を削減することを目的とする。
【課題を解決するための手段】
【０００９】
利用者の顔を撮影する撮影部と、前記撮影部が撮影した画像に基づいた顔画像情報を登録する画像登録部と、前記画像登録部で前記顔画像情報を登録されてからの経過時間を計測する計時部と、前記画像登録部で登録された前記顔画像情報を記憶する記憶部と、前記利用者に対する飲料供給の可否を判定する判定部とを有し、前記判定部は、前記撮影部が撮影した画像に基づいた顔画像情報が前記記憶部に記憶された顔画像情報と一致し、前記計時部で計測する経過時間が予め定めた所定時間以上であれば、前記撮影部が撮影した利用者に対する飲料供給を制限するものである。
【発明の効果】
【００１０】
本発明の飲料ディスペンサは、利用者の顔認証と初回利用時からの所定時間を計時することにより、店側の管理負担を軽減しながら、飲料サービスの利便性を高めることができる。
【図面の簡単な説明】
【００１１】
【図１】図１は、実施の形態における飲料ディスペンサの外観図である。
【図２】図２は、実施の形態における飲料ディスペンサのブロック構成図である。
【図３】図３は、実施の形態における利用者が飲料ディスペンサに飲料容器をセットする状態を示す図である。
【図４】図４は、実施の形態における利用者の初回利用時の登録動作を示すフロー図である。
【図５】図５は、実施の形態における利用者の２回目以降の飲料供給動作を示すフロー図
【図６】図６（Ａ）は、実施の形態における利用者が認証され制限時間内の場合の画面表示を示す図であり、図６（Ｂ）は、実施の形態における利用者が認証され制限時間が経過した場合の画面表示を示す図である。
【図７】図７は、実施の形態における第二の記憶部を備えたネットワークに接続された飲料ディスペンサのブロック構成図である
【図８】図８は、実施の形態における飲料容器を認識させ、飲料選択肢を提示させる動作を示す図である。
【発明を実施するための形態】
【００１２】
第１の発明は、利用者の顔を撮影する撮影部と、前記撮影部が撮影した画像に基づいた顔画像情報を登録する画像登録部と、前記画像登録部で前記顔画像情報を登録されてからの経過時間を計測する計時部と、前記画像登録部で登録された前記顔画像情報を記憶する記憶部と、前記利用者に対する飲料供給の可否を判定する判定部とを有し、前記判定部は、前記撮影部が撮影した画像に基づいた顔画像情報が前記記憶部に記憶された顔画像情報と一致し、前記計時部で計測する経過時間が予め定めた所定時間以上であれば、前記撮影部が撮影した利用者に対する飲料供給を制限するものである。
【００１３】
これによれば、利用者が飲料ディスペンサを利用する時に、撮影部で利用者の顔を撮影して、記憶部に撮影部が撮影した画像に基づいた顔画像情報を記憶させ、利用者が最初に利用した時からの時間を計時部で計時して、利用者が次回、飲料ディスペンサを利用する時に、飲料ディスペンサが利用者を認証し、かつ所定時間が経過していないことを判定部で判定することで、利用者に対して、フリードリンク飲料サービスにおける、時間制限を設けることができる。これによって、店側は、提供するサービスの幅が広げられると共に、管理する負担を軽減でき、サービスの利便性を高めることができる。加えて、ファミリーレストランなどの店舗で、利用者がフリードリンクサービスのみの購入で長時間、店内に滞在したり、不正に飲料を飲むことを防止できる。
【００１４】
第２の発明は、特に第１の発明において、第二の記憶部を備えるネットワークに接続して顔画像情報を送受信するネットワーク送受信部を備え、前記ネットワーク送受信部は、他の飲料ディスペンサから送信され前記第二の記憶部に記憶された顔画像情報を受信し、前記記憶部は、前記ネットワーク送受信部が受信した顔画像情報を記憶するものである。
【００１５】
これによれば、他の飲料ディスペンサから、ネットワークで接続された第二の記憶部に、利用者の顔画像情報を記憶させ、飲料ディスペンサの記憶部へ顔画像情報を送信することで、複数のディスペンサで利用者の顔画像情報を共有できるようになり、フリードリン
クサービスにおいて、利用者は、複数の飲料ディスペンサを利用できるようになり、利便性が向上する。
【００１６】
第３の発明は、特に第１または第２の発明において、飲料に関わる情報を表示する表示部を有し、前記判定部は、前記撮影部が取得した利用者の顔画像情報から、前記利用者の年齢と性別のうち少なくとも１つを判定し、判定した判定情報に応じて、前記表示部に表示させる内容を異ならせるものである。
【００１７】
これによれば、利用者の顔画像情報から年齢、世代、または、性別を推定して、利用者に応じた広告やレコメンド情報などのコンテンツが提供できるようにできるため、さらに利便性が向上する。
【００１８】
第４の発明は、特に第１〜３のいずれか１つの発明において、飲料の選択肢を表示する表示部を有し、前記撮影部は、飲料を注入するための容器の画像情報または容器に付属するコード情報を取得し、取得した情報に紐づけられる飲料選択肢を、前記表示部に表示させるものである。
【００１９】
これによれば、飲料を注入する容器や容器に付帯するコード情報を、飲料ディスペンサの撮影部で取得し、画像認識させることで、容器に応じた飲料選択肢を提供できるようになり、容器に応じて、飲料提供可能な時間や、回数、飲料の種類を変更できる。例えば、容器に応じて、１時間の時間制限、２杯だけの回数制限、または、コールド飲料のみの提供といった制限を加えられる。このため、飲料の種類や制限時間で料金を変える飲料サービスを提供でき、利用者の利便性がさらに高まる。
【００２０】
第５の発明は、特に第１〜４のいずれか１つの発明において、前記記憶部または第二の記憶部に記憶された顔画像情報は、一定期間経過後に、削除させるものである。
【００２１】
これによれば、記憶部や第二の記憶部に記憶された利用者の顔情報を、一定期間、例えば一営業日で自動的に削除することで、利用者のプライバシーへの配慮でき、多量の利用者の顔情報を記憶部または第二の記憶部に記憶し続けなくてもよく、記憶部の容量を減らすことができ、システムコストを低減できる。
【００２２】
以下、本発明の実施の形態について、図面を参照しながら説明する。なお、この実施の形態によって本発明が限定されるものではない。なお同一構成要素に関しては、同じ番号を付し説明を省略する。
【００２３】
（実施の形態１）
図１は実施の形態における飲料ディスペンサの外観図である。飲料ディスペンサ１は、オレンジジュースや、メロンソーダなどの各種炭酸飲料、またはウーロン茶などの原液が貯蔵された原液タンクが接続され、飲料吐出時に水や炭酸ガスなどを混合し、各種飲料を生成し提供する。
【００２４】
図１において、飲料ディスペンサ１は、タッチパネル２、飲料販売ボタン４、飲料容器置き台５、飲料吐出ノズル６、カメラ７を有している。
【００２５】
飲料容器８は、飲料ディスペンサ１から飲料を注ぐための容器である。
【００２６】
タッチパネル２は、例えば静電式や抵抗式のタッチパネルからなり、ＧＵＩ（Ｇｒａｐｈｉｃａｌ  Ｕｓｅｒ  Ｉｎｔｅｒｆａｃｅ）画像である複数のアイコン３が表示される。アイコン３のぞれぞれは、飲料の種類を表す。つまり、複数のアイコン３で、提供され
る飲料選択肢を表す。
【００２７】
カメラ７は、利用者が飲料ディスペンサ１のタッチパネル２を操作する時に、利用者の顔を撮影する。カメラ７は、利用者の顔が正面に撮影されるように、角度、位置が調整して配されていることが望ましい。
【００２８】
また、カメラ７は、飲料容器８または飲料容器に印刷または貼り付けられたコード情報を画像撮影する。飲料ディスペンサ１は、飲料容器８の画像情報またはコード情報に定義付けた飲料選択肢をタッチパネル２に表示し、その飲料選択肢の飲料のみを提供する。
【００２９】
図２は実施の形態における飲料ディスペンサのブロック図である。
【００３０】
図２において、飲料ディスペンサ１は、撮影部２０１、画像登録部２０２、記憶部２０３、表示部２０４、操作部２０５、判定部２０６、飲料供給制御部２０７、計時部２０８、飲料吐出部２０９、ＳＷ操作部２１０を有している。
【００３１】
撮影部２０１は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサや、ＣＣＤ（Ｃｈａｒｇｅ  Ｃｏｕｐｌｅｄ  Ｄｅｖｉｃｅ）イメージセンサ等を用いている。
【００３２】
画像登録部２０２は、撮影部２０１が撮影した利用者の顔画像情報を加工する。例えば、顔画像の眼、鼻、口、しわなどの輪郭などの特徴や、肌の色や明度などを抽出し、数値化する。この数値化された情報を数値化情報と称する。数値化情報は顔画像情報の一部である。
【００３３】
利用者が、飲料容器８を飲料容器置き台５にセットし、顔画像情報が後述の記憶部２０３に記憶されていない場合には、記憶部２０３に自動的に記憶される。飲料容器８がセットされたことは、例えば、赤外線の発光素子と受光素子を用いて検知する。
【００３４】
記憶部２０３は、例えばフラッシュメモリのような不揮発性メモリからなり、画像登録部２０２で加工された利用者の顔画像情報または数値化情報を記憶する。
【００３５】
記憶部２０３には、例えば、前述した利用者の顔画像情報または数値化情報を一定期間、記憶する。一定期間とは、飲料ディスペンサ１が設置された店の販売形態に応じて設定させるものである。
【００３６】
表示部２０４は、例えばタッチパネル等の液晶表示装置である。後述する飲料供給制御部２０７で描画するＧＵＩ画像（アイコン３など）をビデオＲＡＭ（Ｒａｎｄｏｍ  Ａｃｃｅｓｓ  Ｍｅｍｏｒｙ）等に作成し、所定タイミングごとに表示部２０４へ信号出力を行いＧＵＩ表示を行う。
【００３７】
操作部２０５は、例えば、静電容量式タッチパネルで構成される。操作部２０５は、利用者の指が接触すると静電容量の変化として検出する。操作部２０５は、この変化に基づいた情報を飲料供給制御部２０７に出力する。利用者は操作部２０５を操作し、このみの飲料を選択する。
【００３８】
そして、飲料供給制御部２０７は、操作部２０５における検知座標に対応する表示部２０４で表示されている飲料アイコンなどの表示制御を行う。
【００３９】
判定部２０６は、記憶部２０３に記憶された利用者の顔画像情報と、飲料容器８を離床
者が飲料容器置き台５にセットした時に、撮影部２０１で取得される利用者の顔画像情報とを比較し、利用者が同一人物かどうかを認識し、かつ認識された利用者が、現在、飲料提供サービスが利用可能な状態かどうかを記憶部２０３から取得し判定する。そして、利用可能か利用不可かの判定情報を、飲料供給制御部２０７へ通知する。
【００４０】
飲料供給制御部２０７は、マイクロコンピュータ及びソフトウェアで構成され、各種センサの検知情報や操作部２０５、後述のＳＷ操作部２１０の入力情報を取得し、表示部２０４の表示情報を変更制御、または飲料吐出制御を行う。
【００４１】
なお、飲料ディスペンサは、マイクロコンピュータ及びソフトウェアを協働させた制御部を他にも備え、飲料を冷却するための冷却装置や各種アクチュエータ等を制御する。
【００４２】
計時部２０８は、時間をセットしセット時からの経過時間を計測するタイマである。顔画像情報が記憶された利用者毎に経過時間を計測し、記憶部２０３に計時情報として記憶する。利用者毎の飲料サービスが提供可能な時間は、所定時間として、購入した飲料サービス毎に予め決められている。計時部２０８は、利用者の初回利用時にセットされ計時を開始する。所定時間が経過すると、計時部２０８により、利用者への飲料サービスの提供可能な時間が、所定時間を経過したことを示すフラグ情報（超過フラグ情報）を記憶部２０３に記憶する。
【００４３】
飲料吐出部２０９は、飲料吐出ノズル６である。後述のＳＷ操作部２１０を押下した時に、飲料供給制御部２０７により、ジュースや炭酸飲料などの飲料を生成し、飲料容器８に供給制御し、操作部２０５で利用者の選択した飲料を供給する。
【００４４】
ＳＷ操作部２１０は、飲料販売ボタン４である。押しボタンスイッチで形成され、利用者が選択した飲料を飲料供給制御部２０７に供給制御させる制御ボタンである。なお本実施の形態では、押しボタンスイッチで構成したものを説明するが、静電容量式タッチスイッチやタッチパネルの操作ボタンで構成しても構わない。
【００４５】
なお、飲料ディスペンサ１は、飲料の冷却する冷却部や、飲料の原液と、水や炭酸ガスなどを混合し、オレンジジュースやメロンソーダなどの飲料を生成する飲料生成部などを備えている。
【００４６】
ハードウェアとしては、マイクロコンピュータ、不揮発性メモリ、フルドット液晶、静電容量式タッチパネル、静電容量式タッチセンサＩＣ、スイッチ、イメージセンサを備え、マイクロコンピュータを動作させるソフトウェアと協働させ機能させている。
【００４７】
図１のタッチパネル２は、図２の表示部２０４と操作部２０５に対応し、図１の飲料販売ボタン４は、図２のＳＷ操作部２１０に対応し、図１のカメラ７は、図２の撮影部２０１に対応している。
【００４８】
次に、利用者の顔画像情報が初回利用時に登録される動作について説明する。
【００４９】
図３は、利用者３０１が飲料ディスペンサ１に飲料容器８をセットしている状態を示す図である。
【００５０】
図４は、利用者３０１の顔画像情報が初回利用時に登録される動作を示すフローチャートである。
【００５１】
図３、図４を用いて、利用者の顔画像情報が登録される動作を説明する。
【００５２】
ファミリーレストランなどの店舗において、利用者３０１は、時間制限（例えば２時間制限）付きのフリードリンクサービスを店員に注文する。店員は、利用者に飲料容器８を提供する。
【００５３】
飲料ディスペンサ１は、コールド飲料を提供する飲料ディスペンサである。飲料ディスペンサ１は、例えば、オレンジジュース、グレープジュース、ウーロン茶、メロンソーダ、コーラなどが提供できる。
【００５４】
図３のように利用者３０１が飲料容器８を手に持ち、飲料ディスペンサ１の飲料容器置き台５にセットし、タッチパネル２を操作する（Ｓ４０１）。このとき、利用者３０１は、飲料ディスペンサ１が提供する飲料に応じた飲料容器８、例えば、グラスをセットする。
【００５５】
撮影部２０１は、利用者３０１の顔を顔画像情報として撮影取得する。判定部２０６は、取得した利用者の顔画像情報に一致する利用者が、すでに記憶部２０３に登録されているかを検索して確認する（Ｓ４０２）。
【００５６】
判定部２０６で、利用者が登録されていないと判定、すなわち初回利用時と判定した場合（Ｓ４０３のＹＥＳ）、画像登録部２０２は、撮影した利用者３０１の顔画像情報を数値化情報とする。記憶部２０３は、顔画像情報（または数値化情報）を記憶、保存する（Ｓ４０４）。
【００５７】
また利用者３０１の顔画像情報（または数値化情報）が、記憶部２０３にすでに登録されていた場合、すなわち２回目以降の利用の場合（Ｓ４０３のＮＯ）の説明は後述する。
【００５８】
画像登録部２０２は、利用者３０１が初回利用の場合、計時部２０８にフリードリンクサービスの制限時間（例えば、２時間）を設定し、時間計測を行う（Ｓ４０５）。計時部２０８は、一定時間ごとに、記憶部２０３に保持する利用者３０１の利用可能残時間を更新する。
【００５９】
そして時間制限付きのフリードリンクサービスが開始される（Ｓ４０６）。
【００６０】
次に、利用者３０１が、時間制限付きのフリードリンクサービスにおいて、２回目以降の飲料供給を行う動作について、図５、図６を用いて説明する。
【００６１】
図５は、利用者を認証し２回目以降の飲料供給を行う飲料ディスペンサ１の動作を示すフローチャートである。
【００６２】
図６（Ａ）は、利用者が認証され時間制限内の場合の画面表示を示す図、図６（Ｂ）は利用者が認証され制限時間が経過した場合の画面表示を示す図である。
【００６３】
ファミリーレストランなどで、前述の利用者３０１が、２回目の飲料供給を行う場合、飲料容器８を手に持ち、飲料ディスペンサ１の飲料容器置き台５にセットする（Ｓ５０１）。
【００６４】
撮影部２０１は、利用者３０１の顔画像情報を取得する。判定部２０６は、記憶部２０３に保持している利用者情報の顔画像情報と比較・検索する。そして今、取得した顔画像情報と、記憶部２０３に保持した顔画像情報が一致した場合（Ｓ５０２のＹＥＳ）、利用者３０１が制限時間内かどうかを判定するために、記憶部２０３に制限時間超過の超過フ
ラグ情報が記憶されていないかを確認する（Ｓ５０４）。超過フラグ情報が記憶されていない場合（Ｓ５０４のＹＥＳ）、飲料の提供が可と判定し、飲料供給制御部２０７へ判定情報を通知する。
【００６５】
図６（Ａ）に示すように、表示部２０４に、「残り３０分、ご利用可能です。ドリンクを選択してください。」のポップ表示６０１を行い、フリードリンクサービスに応じた飲料選択肢のアイコン３を利用者３０１に提示する。
【００６６】
また、記憶部２０３に、超過フラグ情報が記憶されている場合、すなわちフリードリンクサービスの制限時間である２時間を超過した場合（Ｓ５０４のＮＯ）、図６（Ｂ）に示すように「制限時間を超えています。販売できません。」のポップ表示６０２を、表示部２０４に表示する（Ｓ５０６）。この場合には、利用者３０１には、飲料選択肢は表示されず、利用者３０１は飲料供給を受けることができない。
【００６７】
なお、一部の飲料、例えば、無料の水やお茶は、飲料選択肢として表示され、供給されてもよい。つまり、超過フラグ情報が記憶されている場合には、超過フラグ情報が記憶されていない場合と比べて、供給される飲料や量などに何らかの制限を加えられる。
【００６８】
飲料供給制御部２０７へ飲料の提供が可である判定情報が通知された場合、つまり、顔画像情報により利用者が認証され、制限時間内の場合、利用者３０１は、表示部２０４で表示される飲料選択肢から、好みの飲料を操作部２０５で選択し、ＳＷ操作部２１０を押下する（Ｓ５０７）。ＳＷ操作部２１０を押下で、飲料供給制御部２０７は、飲料吐出部２０９から飲料容器８に飲料を供給する（Ｓ５０８）。
【００６９】
このように本実施の形態によれば、店舗側（店員）から飲料サービスを購入した利用者が、飲料容器８を受け取り、飲料ディスペンサ１に飲料容器８をセットすると、撮影部２０１で利用者の顔を撮影し、顔画像情報を取得する。顔画像情報は、画像登録部２０２で加工され数値化情報に加工され、記憶部２０３に保存される。そして飲料サービス毎に予め決められた所定時間を計時部２０８に設定し計時を開始する。
【００７０】
続いて、利用者が、２回目以降、飲料ディスペンサ１を利用する場合、飲料容器８をセットすると撮影部２０１で顔画像情報を取得され、記憶部２０３に保存された顔画像情報（または数値化情報）と比較し認証されると共に、計時部２０８で計測された時間が、制限時間内であれば、表示部２０４に購入した飲料サービスの飲料選択肢を表示し、飲料を選択させて飲料供給する。
【００７１】
これによって、フリードリンク飲料サービスにおいて、時間制限が設けることができるようになり、フリードリンクのサービスの幅が広げられると共に、店側は管理する負担を軽減させることができ、サービスの利便性を高めることができる。
【００７２】
加えて、ファミリーレストランなどでフリードリンクサービスのみの購入で長時間居すわったり、不正に飲料を飲まれることを防止できるようになる。  （実施の形態２）
図７は、ネットワークを介して第二の記憶部を備え、利用者の顔画像情報を複数の飲料ディスペンサで共有する飲料提供システムを示すブロック構成図である。この飲料提供システムは、コールド飲料を提供する第１の飲料ディスペンサ７０１と、ホット飲料を提供する第２の飲料ディスペンサ７０２と、複数の飲料ディスペンサが接続されるネットワーク７０４と、ネットワーク７０４に接続される第二の記憶部７０５とを備えている。
【００７３】
なお、実施の形態１と同一構成要素に関しては、同一の符号を付して説明を省略する。
【００７４】
ファミリーレストラン等のフリードリンクサービスでは、店舗内に複数の飲料ディスペンサを設置する。本実施の形態では、複数の飲料ディスペンサで利用者の顔画像情報を認証情報として共有する場合を説明する。
【００７５】
図７において、第１の飲料ディスペンサ７０１は、ウーロン茶、オレンジジュース、メロンソーダなどのコールド飲料を供給する飲料ディスペンサである。第２の飲料ディスペンサ７０２は、ココア、紅茶、ポタージュスープなどのホット飲料を供給する飲料ディスペンサである。なお、第１の飲料ディスペンサ７０１および第２の飲料ディスペンサ７０２において、機能要素は一部を示すものであり、他構成要素も備えるが、本実施の形態では説明しない。
【００７６】
第１の飲料ディスペンサ７０１および第２の飲料ディスペンサ７０２は、それぞれ、ネットワーク送受信部７０３を備えている。ネットワーク送受信部７０３は、イーサネット（登録商標）や、Ｗｉ−Ｆｉ（登録商標）などの無線ＬＡＮ、キャリア回線（３Ｇ、４Ｇ、ＬＴＥなど）のハードウェアで構成され、ネットワーク７０４上にある第二の記憶部７０５と通信する。
【００７７】
ネットワーク７０４は、インターネットやイントラなどのローカルネットワークを構成するものである。
【００７８】
第二の記憶部７０５は、ネットワーク７０４に接続されたサーバや機器等の記憶部である。
【００７９】
第１の飲料ディスペンサ７０１および第２の飲料ディスペンサ７０２のそれぞれの撮影部２０１で撮影された利用者の顔画像情報は、それぞれの画像登録部２０２を介して数値化情報に加工され、それぞれの記憶部２０３に保存される。第１の飲料ディスペンサ７０１および第２の飲料ディスペンサ７０２のいずれか一方の記憶部２０３に保存された利用者の顔画像情報（または数値化情報）は、制限時間情報と共に、ネットワーク送受信部７０３に送信される。顔画像情報（または数値化情報）および制限時間情報は、ネットワーク送受信部７０３により、ネットワーク７０４にある第二の記憶部７０５と通信し保存される。
【００８０】
第１の飲料ディスペンサ７０１で取得された利用者の顔画像情報が、第二の記憶部７０５に送信されると、第二の記憶部７０５は、同一店舗に設置された第２の飲料ディスペンサ７０２に対して、前記利用者の顔画像情報（または数値化情報）および制限時間を送信する。前記利用者のおよび制限時間情報は、ネットワーク送受信部７０３を介して、第２の飲料ディスペンサ７０２の記憶部２０３に保存される。
【００８１】
このように複数の飲料ディスペンサの一方で取得された利用者の顔画像情報を同一店舗内の別の飲料ディスペンサにも送信し、認証情報として同期させる。
【００８２】
本実施の形態では、第１の飲料ディスペンサ７０１から第２の飲料ディスペンサ７０２へ受け渡される場合を説明したが、第２の飲料ディスペンサから第１の飲料ディスペンサへ受け渡してもよく、３台以上の飲料ディスペンサで同期してもよい。
【００８３】
また、判定部２０６は、利用者の顔画像情報から、年齢、世代、性別などの少なくとも１つの属性を推定して、記憶部２０３に保持する利用者の属性に合わせた、広告やレコメンド情報（おすすめ飲料、説明）を提示する。
【００８４】
また、判定部２０６は、前記属性情報に合わせて、表示部２０４に表示させる飲料選択
肢を変更する。
【００８５】
また、飲料容器８の形状や色や大きさ又はコード情報、例えば、バーコード、ＱＲコード（登録商標）などに応じて、飲料選択肢、つまり、飲料の種類や、選択可能な飲料の数を紐づけて、それぞれの飲料ディスペンサの記憶部２０３または第二の記憶部７０５に記憶してもよい。
【００８６】
これによれば、利用者は、図８のように、カメラ７（撮影部２０１）に飲料容器８をかざして飲料容器８に紐づけた飲料選択肢情報を読み取らせることにより、利用者が購入したフリードリンクサービスの飲料選択肢だけを、表示部２０４に提示できるようになり、利用者の利便性が高まり、店側も管理をせずに、飲料サービスを適切に提供できる。
【００８７】
例えば、価格が２５０円の通常フリードリンクサービスでは、コールド飲料とホット飲料とコーヒーのみを提供し、価格が３５０円のプレミアムフリードリンクサービスでは、通常フリードリンクサービスに加えて１００％ジュースを提供するなどのように、価格に応じて飲料選択肢に変化をつけた場合でも、利用者が購入した飲料サービスに応じて、飲料選択肢を表示し、また制限時間でフリードリンクを管理できる。
【００８８】
また、記憶部２０３及び第二の記憶部７０５に記憶された利用者の顔画像情報は、店舗の飲料サービスに応じて予め設定した時間で消去する。
【００８９】
これにより、飲料ディスペンサ内の記憶部２０３の記憶容量を抑制できるため、コストを抑制し、また利用者のプライバシーにも配慮できる。
【００９０】
このように本実施の形態によれば、店舗側（店員）から飲料サービスを購入した利用者が飲料容器８を受け取り、第１の飲料ディスペンサ７０１および第２の飲料ディスペンサ７０２のいずれか一方に飲料容器８をセットすると、撮影部２０１で利用者の顔を撮影し、顔画像情報を取得する。顔画像情報は、画像登録部２０２で加工され数値化情報に加工され、記憶部２０３に保存される。そして飲料サービス毎に予め決められた所定時間を計時部２０８に設定し計時を開始する。
【００９１】
続いて、利用者が、２回目以降、第１の飲料ディスペンサ７０１および第２の飲料ディスペンサ７０２のいずれか一方を利用する場合、飲料容器８をセットすると撮影部２０１で顔画像情報を取得され、記憶部２０３に保存された顔画像情報（または数値化情報）と比較し認証されると共に、計時部２０８で計測された時間が、制限時間内であれば、表示部２０４に購入した飲料サービスの飲料選択肢を表示し、飲料を選択させて飲料供給する。
【００９２】
これによって、フリードリンク飲料サービスにおいて、時間制限が設けることができるようになり、フリードリンクのサービスの幅が広げられると共に、店側は管理する負担を軽減させることができ、サービスの利便性を高めることができる。
【００９３】
加えて、ファミリーレストランなどでフリードリンクサービスのみの購入で長時間居すわったり、不正に飲料を飲まれることを防止できるようになる。
【００９４】
また、ネットワーク７０４で接続された第二の記憶部７０５で、利用者の顔画像情報を記憶させ、他のディスペンサにも顔画像情報を送信する。これによれば、利用者の認証情報を共有できるようになり、フリードリンクサービスにおいて、顔認証による時間制限が、複数の飲料ディスペンサで共有利用できるようになり、利便性が向上する。
【００９５】
また判定部２０６で、利用者の顔画像情報から年齢・世代や性別などの属性を推定して、利用者に応じた広告やレコメンド情報などや飲料選択肢を提示できるようになり、さらに利便性が向上する。
【００９６】
また、飲料容器８の画像情報または飲料容器８に付帯するコード情報を、飲料ディスペンサ１の撮影部２０１で画像取得し、判定部２０６で画像認識させることで、飲料容器８に応じて飲料メニューを変えてサービス提供できるようになり、例えば、飲料容器８に応じて、１時間の時間制限や、２杯だけの回数制限、コールド飲料のみのような提供する飲料の種類制限を加えた飲料サービスを提供できるようになり、利用者の利便性がさらに高まる
また、記憶部２０３または第二の記憶部７０５に記憶された利用者の顔画像情報を、飲料サービスに応じて予め設定した時間で削除することにより、利用者のプライバシーへの配慮でき、多量の利用者の顔画像情報を記憶部２０３または第二の記憶部７０５に記憶し続けなくてもよく、記憶部の容量を減らすことができるようになり、システムコストを低減できるようになる。  また、本実施の形態の飲料提供システムは、それぞれがネットワーク７０４に接続して顔画像情報を送受信するネットワーク送受信部７０３を有する、複数の飲料ディスペンサ（７０１、７０２）と、ネットワーク送受信部７０３から送信される顔画像情報を記憶させる第二の記憶部７０５とを備え、一方の飲料ディスペンサから送信され第二の記憶部７０５に記憶された顔画像情報を、他方の飲料ディスペンサのネットワーク送受信部７０３で受信し、他方の飲料ディスペンサの記憶部２０３に記憶し、利用者の顔画像情報と比較し、利用者認識を行う飲料提供システムである。
【００９７】
これによれば、複数の飲料ディスペンサで利用者の認証情報を共有できるようになり、フリードリンクサービスにおいて、顔認証による時間制限が、共有利用できる。
【００９８】
（その他の実施の形態）
実施の形態１では、飲料ディスペンサをコールド飲料の飲料ディスペンサで説明し、実施の形態１では、コールド飲料の飲料ディスペンサとホット飲料の飲料ディスペンサの組み合わせで説明したが、これに限定されるものでない。それぞれの飲料ディスペンサは、ホット飲料ディスペンサ、コーヒー飲料ディスペンサ、フローズン飲料ディスペンサなどのいずれであっても同様の構成で実現できる。つまり、提供する飲料の種類には限定されない。
【００９９】
また、以上説明した実施の形態では、ファミリーレストランのフリードリンクの時間制限を用いて説明したが、ファミリーレストランでなくてもよく、フードコート、コンビニエンスストア、その他飲食店など店の形態には限定されない。時間制限できるサービスであればよく、フリードリンクサービスにも限定されない。
【０１００】
また第二の記憶部７０５は、ネットワーク７０４に接続されたサーバの記憶部として説明したが、サーバに備えた記憶部でなくてもよく、ローカルネットワークに接続されたストレージなどであってもよい。また１台の飲料ディスペンサ１の一部の記憶部２０３を、複数の飲料ディスペンサ１の顔認証情報の共有記憶部として構成し、ローカルネットワークで接続することもできる。それによりインターネットに接続しない機器連携でのシステムが構築でき、種々のセキュリティ的な問題を排除することも可能である。
【０１０１】
また飲料容器８の画像情報や飲料容器８に付帯するコード情報を、撮影部２０１より取得すると説明したが、撮影部２０１は、利用者の顔画像情報を取得するものとは別の撮影部でもよく、飲料容器置き台５の奥に第二の撮影部を備えると、利用者が撮影部２０１にカップをかざす操作がなくなり、利便性がさらに向上する。
【０１０２】
また一度制限時間がオーバーした利用者が追加料金を支払い、再度フリードリンクサービスを利用する場合においては、撮影部２０１に、制限時間延長などのコード情報を取得させて、サービスの制限を解除させることも可能であり利便性が向上する。
【０１０３】
また、飲料容器８を認識させることで、炭酸飲料、非炭酸系飲料、フレッシュジュースなどで飲料種別を分類したり、その組み合わせで、フリードリンクサービスすることも可能となる。また飲料容器８に応じて、カロリー情報やアレルゲンが含まれる飲料など、健康情報に関連して飲料種別を分けることも可能である。
【０１０４】
飲料ディスペンサには、タッチパネル２を備えたものを説明したが、これに限定されない。操作部２０５は、タッチパネルでなくてもよく、タッチＳＷやタクトＳＷであってもよい。
【０１０５】
本実施の形態では、撮影部２０１で撮影した顔画像から抽出した複数の数値化情報と、記憶部２０３に記憶されている複数の数値化情報の全てが一致するか否かを判定部２０６が判定していたが、一致するか否かを判定する数値化情報は複数でなくとも良い。例えば、輪郭の数値化情報だけを一致するか否か判定しても良い。
【０１０６】
本実施の形態では、画像情報の一部に数値化情報があると定義したが、数値化情報は画像情報に基づいて数値化された情報であるため、画像情報と数値化情報とは別の情報であると定義しても構わない。
【０１０７】
また、実施の形態２で説明した、判定部２０６が、利用者の顔画像情報から、利用者の年齢と性別のうち少なくとも１つを判定し、判定した判定情報に応じて、表示部２０４に表示させる内容を異ならせることや、撮影部２０１が取得した飲料容器８の画像情報または飲料容器８に付属するコード情報を取得し、取得した情報に紐づけられる飲料選択肢を、表示部２０４に表示させることや、記憶部２０３に記憶された顔画像情報を、一定期間経過後に、削除することを、実施の形態１の飲料ディスペンサに適用してもよい。
【産業上の利用可能性】
【０１０８】
本発明は、撮影部で撮影した利用者の顔を認識し、時間制限サービスの提供を行う飲料ディスペンサに広く適用できる。
【符号の説明】
【０１０９】
１  飲料ディスペンサ
２  タッチパネル
３  アイコン
４  飲料販売ボタン
５  飲料容器置き台
６  飲料吐出ノズル
７  カメラ
８  飲料容器
２０１  撮影部
２０２  画像登録部
２０３  記憶部
２０４  表示部
２０５  操作部
２０６  判定部
２０７  飲料供給制御部
２０８  計時部
２０９  飲料吐出部
２１０  ＳＷ操作部
３０１  利用者
７０１  第１の飲料ディスペンサ
７０２  第２の飲料ディスペンサ
７０３  ネットワーク送受信部
７０４  ネットワーク
７０５  第二の記憶部
【図１】
2017210253.tif 000003
【図２】
2017210253.tif 000004
【図３】
2017210253.tif 000005
【図４】
2017210253.tif 000006
【図５】
2017210253.tif 000007
【図６】
2017210253.tif 000008
【図７】
2017210253.tif 000009
【図８】
2017210253.tif 000010